(57)【要約】【課題】  チューブの保持を簡単かつ確実に行うことができると共に、滑り等による劣化を確実に防止することができるウォッシャノズル付きワイパを提供する。【解決手段】  ワイパシャフトに固定されたアームヘッドを覆うヘッドカバーと、アームヘッドに支軸を介して回動自在に支持されたワイパアームと、アームヘッド及びワイパアームに沿って配索され、ウォッシャノズルに連結されてウォッシャ液を供給するチューブと、このチューブをヘッドカバーに保持させるチューブ保持手段を備えたワイパにおいて、チューブ保持手段を、ヘッドカバーの基端部の周壁２１ａに沿って所定の間隔を存して形成され、このヘッドカバーの基端部の周壁とにより形成される円弧凹状の溝部３２内にチューブを下側から収納するチューブ収納壁と、このヘッドカバーの基端部の周壁の周面と相対向するチューブ収納壁の周面に設けられてチューブを係止する係止突起とで構成した。【選択図】      図３
2006306286.tif 000002
【特許請求の範囲】
【請求項１】
基端部がワイパシャフトに固定されたアームヘッドと、このアームヘッドを覆うヘッドカバーと、基端部が前記アームヘッドの先端部に支軸を介して払拭面方向に回動自在に支持されると共に先端部に払拭面を払拭するワイパブレードが連結されたワイパアームと、このワイパアームの先端側に設けられてウォッシャ液を前記払拭面に噴射させるウォッシャノズルと、前記アームヘッド及び前記ワイパアームに沿って配索されると共に、前記ウォッシャノズルに連結されて前記ウォッシャ液を供給するチューブと、このチューブを前記ヘッドカバーに保持させるチューブ保持手段と、を備えたウォッシャノズル付きワイパにおいて、
前記チューブ保持手段を、前記ヘッドカバーの基端部の周壁に沿って所定の間隔を存して形成され、このヘッドカバーの基端部の周壁とにより形成される円弧凹状の溝部内に前記チューブを下側から収納するチューブ収納壁と、前記ヘッドカバーの基端部の周壁の周面と相対向する前記チューブ収納壁の周面の少なくとも一方の周面に設けられて前記チューブを係止する係止突起とで構成したことを特徴とするウォッシャノズル付きワイパ。
【請求項２】
請求項１記載のウォッシャノズル付きワイパであって、
前記ヘッドカバーの基端部の周壁の周面と相対向する前記チューブ収納壁の周面の少なくとも一方の周面に滑り止め部を設けたことを特徴とするウォッシャノズル付きワイパ。
【請求項３】
基端部がワイパシャフトに固定されたアームヘッドと、このアームヘッドを覆うヘッドカバーと、基端部が前記アームヘッドの先端部に支軸を介して払拭面方向に回動自在に支持されると共に先端部に払拭面を払拭するワイパブレードが連結されたワイパアームと、このワイパアームの先端側に設けられてウォッシャ液を前記払拭面に噴射させるウォッシャノズルと、前記アームヘッド及び前記ワイパアームに沿って配索されると共に、前記ウォッシャノズルに連結されて前記ウォッシャ液を供給するチューブと、このチューブを前記アームヘッドに保持させるチューブ保持手段と、を備えたウォッシャノズル付きワイパにおいて、
前記チューブ保持手段を、前記アームヘッドの基端部の周面に円弧状に形成された鍔部と、この円弧状の鍔部に当接する前記ヘッドカバーの基端部の周壁とで構成し、これら円弧状の鍔部の上面と前記ヘッドカバーの基端部の周壁の内周面との間で前記チューブを保持自在にしたことを特徴とするウォッシャノズル付きワイパ。
【請求項４】
請求項３記載のウォッシャノズル付きワイパであって、
前記アームヘッドの基端部の周面と前記ヘッドカバーの基端部の周壁の内周面の少なくとも一方の周面に滑り止め部を設けたことを特徴とするウォッシャノズル付きワイパ。
【発明の詳細な説明】
【技術分野】
【０００１】
本発明は、例えば、車両のウインドシールドガラス等をウォッシャノズルより噴射したウォッシャ液を介して払拭するウォッシャノズル付きワイパに関する。
【背景技術】
【０００２】
この種のウォッシャノズル付きワイパとして、図１０に示すものがある（例えば、特許文献１参照。）。このウォッシャノズル付きワイパ１は、図１０（ａ）〜（ｃ）に示すように、基端部３ａがピボット軸２に固定されたアームヘッド３と、このアームヘッド３を覆うヘッドカバー４と、基端部６ａがアームヘッド３の先端部に支軸５を介して払拭面方向に回動自在に支持されると共に、先端部に払拭面を払拭する図示しないワイパブレードが連結されたワイパアーム６と、このワイパアーム６の先端側に設けられてウォッシャ液を払拭面に噴射させる図示しないウォッシャノズルと、アームヘッド３及びワイパアーム６に沿って配索されると共に、ウォッシャノズルに連結されてウォッシャ液を供給するチューブ７と、このチューブ７をアームヘッド３に保持させるチューブ保持手段８とを備えている。
【０００３】
このチューブ保持手段８は、ヘッドカバー４の一方の側壁４ａの外面に一体形成された逆Ｕ字形のホルダ８ａと、このホルダ８ａを挾むように千鳥状に配置された一対の突起８ｂ，８ｂとで構成されている。そして、チューブ７をホルダ８ａの隙間に押し込んで挾持させると共に、その両側の一対の突起８ｂ，８ｂでチューブ７を下側から支持する。これにより、アームヘッド３を覆うヘッドカバー４の一方の側壁４ａに沿うようにチューブ７を保持することができる。
【０００４】
【特許文献１】特開２００２−５９８１３号公報
【０００５】
【特許文献２】特開２００２−６７８８６号公報
【発明の開示】
【発明が解決しようとする課題】
【０００６】
しかしながら、前記従来のウォッシャノズル付きワイパ１では、チューブ７を幅の狭い逆Ｕ字形のホルダ８ａで挾むと共に、その下側を一対の突起８ｂ，８ｂで支持する構造であるため、車体にかかる振動や外力等によりチューブ７がホルダ８ａから外れるおそれがあった。また、ワイパアーム６を起こす時（ワイパアーム６のロックバック時）やワイパアーム６が揺動する時に、ホルダ８ａに挾持されているチューブ７にテンションがかかって滑り（擦れ）が発生し易く、劣化する要因になった。
【０００７】
そこで、本発明は、前記した課題を解決すべくなされたものであり、チューブの保持を簡単かつ確実に行うことができると共に、滑り等による劣化を確実に防止することができるウォッシャノズル付きワイパを提供することを目的とする。
【課題を解決するための手段】
【０００８】
請求項１の発明は、基端部がワイパシャフトに固定されたアームヘッドと、このアームヘッドを覆うヘッドカバーと、基端部が前記アームヘッドの先端部に支軸を介して払拭面方向に回動自在に支持されると共に先端部に払拭面を払拭するワイパブレードが連結されたワイパアームと、このワイパアームの先端側に設けられてウォッシャ液を前記払拭面に噴射させるウォッシャノズルと、前記アームヘッド及び前記ワイパアームに沿って配索されると共に、前記ウォッシャノズルに連結されて前記ウォッシャ液を供給するチューブと、このチューブを前記ヘッドカバーに保持させるチューブ保持手段と、を備えたウォッシャノズル付きワイパにおいて、前記チューブ保持手段を、前記ヘッドカバーの基端部の周壁に沿って所定の間隔を存して形成され、このヘッドカバーの基端部の周壁とにより形成される円弧凹状の溝部内に前記チューブを下側から収納するチューブ収納壁と、前記ヘッドカバーの基端部の周壁の周面と相対向する前記チューブ収納壁の周面の少なくとも一方の周面に設けられて前記チューブを係止する係止突起とで構成したことを特徴とする。
【０００９】
請求項２の発明は、請求項１記載のウォッシャノズル付きワイパであって、前記ヘッドカバーの基端部の周壁の周面と相対向する前記チューブ収納壁の周面の少なくとも一方の周面に滑り止め部を設けたことを特徴とする。
【００１０】
請求項３の発明は、基端部がワイパシャフトに固定されたアームヘッドと、このアームヘッドを覆うヘッドカバーと、基端部が前記アームヘッドの先端部に支軸を介して払拭面方向に回動自在に支持されると共に先端部に払拭面を払拭するワイパブレードが連結されたワイパアームと、このワイパアームの先端側に設けられてウォッシャ液を前記払拭面に噴射させるウォッシャノズルと、前記アームヘッド及び前記ワイパアームに沿って配索されると共に、前記ウォッシャノズルに連結されて前記ウォッシャ液を供給するチューブと、このチューブを前記アームヘッドに保持させるチューブ保持手段と、を備えたウォッシャノズル付きワイパにおいて、前記チューブ保持手段を、前記アームヘッドの基端部の周面に円弧状に形成された鍔部と、この円弧状の鍔部に当接する前記ヘッドカバーの基端部の周壁とで構成し、これら円弧状の鍔部の上面と前記ヘッドカバーの基端部の周壁の内周面との間で前記チューブを保持自在にしたことを特徴とする。
【００１１】
請求項４の発明は、請求項３記載のウォッシャノズル付きワイパであって、前記アームヘッドの基端部の周面と前記ヘッドカバーの基端部の周壁の内周面の少なくとも一方の周面に滑り止め部を設けたことを特徴とする。
【発明の効果】
【００１２】
以上説明したように、請求項１の発明によれば、ヘッドカバーの基端部の周壁に沿って所定の間隔を存して形成されたチューブ収納壁により形成される円弧凹状の溝部内にチューブを簡単かつ確実に保持することができると共に、ヘッドカバーの基端部の周壁の周面と相対向するチューブ収納壁の周面の少なくとも一方の周面に設けられた係止突起によりチューブを確実に係止することができる。
【００１３】
請求項２の発明によれば、チューブが円弧凹状の溝部内に保持されると共に、ヘッドカバーの基端部の周壁の周面と相対向するチューブ収納壁の周面の少なくとも一方の周面に設けられた滑り止め部で滑り止めされているため、ワイパアームのロックバック時や揺動時にチューブにテンションがかかっても滑りを確実に防止することができ、チューブの耐久性を向上させることができる。
【００１４】
請求項３の発明によれば、アームヘッドの基端部の周面に形成した円弧状の鍔部の上面に沿ってチューブを配索した後でヘッドカバーを被せることにより、アームヘッドの基端部の円弧状の鍔部の上面とヘッドカバーの基端部の周壁の内周面との間でチューブを簡単かつ確実に保持することができる。
【００１５】
請求項４の発明によれば、チューブがアームヘッドの基端部の円弧状の鍔部の上面に沿って配索されると共に、該アームヘッドの基端部の周面とヘッドカバーの基端部の周壁の内周面の少なくとも一方の周面に設けられた滑り止め部で滑り止めされているため、ワイパアームのロックバック時や揺動時にチューブにテンションがかかっても滑りを確実に防止することができ、チューブの耐久性を向上させることができる。
【発明を実施するための最良の形態】
【００１６】
以下、本発明の実施形態を図面に基づいて説明する。
【００１７】
図１は本発明の実施形態のウォッシャノズル付きワイパの要部を示す平面図、図２は同要部の側面図、図３は同要部の底面図、図４は同要部を底面側から見た斜視図、図５は同ウォッシャノズル付きワイパの全体構成を示す平面図である。
【００１８】
図１〜図５に示すように、ウォッシャノズル付きワイパ１０は、略半円形状の基端部２０ａがピボット軸（ワイパシャフト）１１の上端部１１ａにナット１２を介して締結固定されたアルミニウム製のアームヘッド２０と、このアームヘッド２０を覆う合成樹脂製のヘッドカバー２１と、基端部２３ａがアームヘッド２０の先端部２０ｂに支軸２５を介して払拭面方向に回動自在に支持されると共に、先端部２４ｂに図示しない車両のウインドシールドガラス等の払拭面を払拭するワイパブレード２６が連結されたワイパアーム２２と、このワイパアーム２２の先端側に設けられてウォッシャ液Ｗを図示しない払拭面に噴射させるウォッシャノズル２７と、アームヘッド２０及びワイパアーム２２に沿って配索されると共に、ウォッシャノズル２７に連結されてウォッシャ液Ｗを供給するチューブ２８と、このチューブ２８をヘッドカバー２１に保持させるチューブ保持手段３０と、を備えている。
【００１９】
合成樹脂製のヘッドカバー２１は、アルミニウム製のアームヘッド２０より一回り大きい形状に形成されており、該アームヘッド２０を完全に覆うようになっている。さらに、ヘッドカバー２１の両側壁２１ｃ，２１ｃの各先端部２１ｄは、支軸２５に回動自在に支持されており、アームヘッド２０に対して上方（開く方向）に移動できるようになっている。
【００２０】
図５に示すように、ワイパアーム２２は、リテーナ２３と、アームピース２４とで構成されている。そして、リテーナ２３の基端部２３ａがアームヘッド２０の先端部２０ｂに支軸２５を介して払拭面に対して接近及び離反する方向に所定角度回動自在に支持されている。また、アームピース２４の先端部２４ｂに払拭面を払拭するワイパブレード２６を連結してある。さらに、リテーナ２３とアームヘッド２０との間には引っ張りコイルスプリング２９を掛け渡してある。この引っ張りコイルスプリング２９の付勢力によりリテーナ２３は払拭面側へ押圧付勢されるようになっている。また、図３及び図４に示すように、この引っ張りコイルスプリング２９の中を通るようにチューブ２８は配索されている。
【００２１】
図１〜図５に示すように、チューブ保持手段３０は、ヘッドカバー２１の基端部の半円弧状の周壁２１ａに沿って所定の間隔を存して形成され、このヘッドカバー２１の基端部の周壁２１ａとにより形成される円弧凹状の溝部３２内にチューブ２８を下側から収納するチューブ収納壁３１と、このヘッドカバー２１の基端部の周壁２１ａの周面３２ａと相対向するチューブ収納壁３１の周面３２ｂに一体突出形成されてチューブ２８を係止する複数の係止突起３３，３３とで構成されている。また、相対向する周面３２ａ，３２ｂの一方の周面３２ａには凸状の滑り止め部３４を複数一体突出形成してある。
【００２２】
以上実施形態のウォッシャノズル付きワイパ１０によれば、チューブ２８をヘッドカバー２１に保持させるチューブ保持手段３０を、ヘッドカバー２１の基端部の周壁２１ａに沿って所定の間隔を存して形成され、このヘッドカバー２１の基端部の周壁２１ａとにより形成される円弧凹状の溝部３２内にチューブ２８を下側から収納するチューブ収納壁３１と、このヘッドカバー２１の基端部の周壁２１ａの周面３２ａと相対向するチューブ収納壁３１の周面３２ｂに一体突出形成されてチューブ２８を係止する複数の係止突起３３，３３とで構成したことにより、ヘッドカバー２１の基端部の周壁２１ａとチューブ収納壁３１とにより形成される円弧凹状の溝部３２内にチューブ２８を簡単かつ確実に保持することができると共に、相対向する各周面３２ａ，３２ｂに一体突出形成された複数の係止突起３３，３３によりチューブ２８を確実に係止することができる。
【００２３】
また、チューブ２８が円弧凹状の溝部３２内に保持されると共に、一方の周面３２ａに一体突出形成された複数の凸状の滑り止め部３４で滑り止めされているため、ワイパアーム２２のロックバック時（起立時）や揺動時にチューブ２８にテンションがかかっても滑り（擦れ）を確実に防止することができ、チューブ２８の耐久性を向上させることができる。
【００２４】
尚、前記実施形態によれば、相対向する周面３２ａ，３２ｂのうちの一方の周面３２ａに滑り止め部３４を形成したが、相対向する両方の周面３２ａ，３２ｂに滑り止め部３４をそれぞれ形成しても良い。
【００２５】
図６は本発明の他の実施形態のウォッシャノズル付きワイパの要部を示す側面図、図７は同要部の斜視図、図８は同要部の底面図、図９は同要部の断面図である。
【００２６】
図６〜図９に示すように、ウォッシャノズル付きワイパ１０′は、チューブ２８をアームヘッド２０に保持させるチューブ保持手段４０を有している。このチューブ保持手段４０は、アームヘッド２０の基端部２０ａの周面２０ｃに円弧状に形成された鍔部４１と、この円弧状の鍔部４１に当接するヘッドカバー２１の基端部の周壁２１ａとで構成され、これら円弧状の鍔部４１の上面４１ａとヘッドカバー２１の基端部の周壁２１ａの内周面２１ｂとの間でチューブ２８を保持自在にしてある。
【００２７】
また、図７に示すように、アームヘッド２０の基端部２０ａの周面２０ｃには複数の凸状の滑り止め部４４を一体突出形成してある。尚、他の構成は、前記実施形態と同様であるため、同一構成部分に同一符号を付して詳細な説明を省略する。
【００２８】
このウォッシャノズル付きワイパ１０′では、アームヘッド２０の基端部２０ａの周面２０ｃに形成したチューブ保持手段４０の円弧状の鍔部４１の上面４１ａに沿ってチューブ２８を配索した後で、ヘッドカバー２１を被せることにより、アームヘッド２０の基端部２０ａの円弧状の鍔部４１の上面４１ａとヘッドカバー２１の基端部の周壁２１ａの内周面２１ｂとの間でチューブ２８を簡単かつ確実に保持することができる。
【００２９】
また、チューブ２８がアームヘッド２０の基端部２０ａの円弧状の鍔部４１の上面４１ａに沿って配索されると共に、該アームヘッド２０の基端部２０ａの周面２０ｃに一体突出形成された複数の凸状の滑り止め部４４で滑り止めされているため、ワイパアーム２２のロックバック時や揺動時にチューブ２８にテンションがかかっても滑り（擦れ）を確実に防止することができ、チューブ２８の耐久性を向上させることができる。
【００３０】
尚、前記他の実施形態によれば、アームヘッド２０の基端部２０ａの周面２０ｃに滑り止め部４４を形成したが、ヘッドカバー２１の基端部の周壁２１ａの内周面２１ｂにも滑り止め部を形成しても良い。
【図面の簡単な説明】
【００３１】
【図１】本発明の実施形態のウォッシャノズル付きワイパの要部を示す平面図である。
【図２】上記要部の側面図である。
【図３】上記要部の底面図である。
【図４】上記要部を底面側から見た斜視図である。
【図５】上記ウォッシャノズル付きワイパの全体構成を示す平面図である。
【図６】本発明の他の実施形態のウォッシャノズル付きワイパの要部を示す側面図である。
【図７】上記他の実施形態の要部の斜視図である。
【図８】上記他の実施形態の要部の底面図である。
【図９】上記他の実施形態の要部の断面図である。
【図１０】（ａ）は従来例のウォッシャノズル付きワイパの要部の側面図、（ｂ）は同（ａ）中Ｘ−Ｘ線に沿う断面図、（ｃ）は同ワイパに用いられるヘッドカバーの底面図である。
【符号の説明】
【００３２】
１０，１０′  ウォッシャノズル付きワイパ
１１  ピボット軸（ワイパシャフト）
２０  アームヘッド
２０ａ  基端部
２０ｂ  先端部
２０ｃ  周面
２１  ヘッドカバー
２１ａ  基端部の周壁
２１ｂ  内周面
２２  ワイパアーム
２３ａ  基端部
２４ｂ  先端部
２５  支軸
２６  ワイパブレード
２７  ウォッシャノズル
２８  チューブ
３０  チューブ保持手段
３１  チューブ収納壁
３２  円弧凹状の溝部
３２ａ，３２ｂ  相対向する周面
３２ａ  一方の周面
３３  係止突起
３４  滑り止め部
４０  チューブ保持手段
４１  円弧状の鍔部
４１ａ  上面
４４  滑り止め部
Ｗ  ウォッシャ液
【図１】
2006306286.tif 000003
【図２】
2006306286.tif 000004
【図３】
2006306286.tif 000005
【図４】
2006306286.tif 000006
【図５】
2006306286.tif 000007
【図６】
2006306286.tif 000008
【図７】
2006306286.tif 000009
【図８】
2006306286.tif 000010
【図９】
2006306286.tif 000011
【図１０】
2006306286.tif 000012